(57)【特許請求の範囲】
【請求項１】
本願開発の、支柱（２）にて支えられて固定された、ガイド翼（１）に囲まれた位置にある、回転翼（３）は、ウオ−ムモ−タ−（９）により、モ−タ−に装着されたウオ−ム軸（８）及び下部軸芯（４）等を介して下部より支えられ、回転翼（３）は風力により回転されながら、ウオ−ムモ−タ−（９）により、上下動作を行い、円筒（７）に出入りする事を可能とした、垂直型多段式風力発電装置において、固定されたガイド翼（１）と、回転翼（３）の組合された状態に於いて、回転翼（３）の、羽根板（１４）の各々は、互いに両端を接着した状態で、上下の第２中空円板（１６）に装着し、ガイド翼（１）のガイド板（１３）は各々回転翼（３）の回転方向に方向付けして上下の第１中空円板（１５）に装着して、各々ユニット化して積層し、回転翼（３）の最上部と最下部の面は各々上部円板（１７）及び下部円板（１８）を取り付け、其の中心部に上部軸芯（１１）及び下部軸芯（４）を取り付けて、上部は上部支え（１２）下部は回転軸受け（５）で支えて回転可能として、羽根板（１４）とガイド板（１３）により、受風した風力を回転翼（３）の内部を通過させず、受風面積に受けた風力の殆ど全部を、両者の間を回り込んで回転翼（３）を回転しながら、通過する機構とした装置。
【発明の詳細な説明】
【技術分野】
【０００１】    本発明は、垂直型風力発電機の分野に於て、背景技術の項に記載の、先に特許の交付を受けた、特許文献を試作実験途上、更に高能率な方式を見出したものであります。
【背景技術】
【０００２】    先に特許を受けた「特許文献１」の図１は図に示す如く、ガイド翼（７）と回転翼（１３）を主として組合わせた一体の風力発電装置の外側に、支柱（４）を立て、この支柱に吊り下げ装置（６）を付けて、一体の風力発電装置のものを上下に行う方式でありました。【０００３】  特許文献２については、図１の回転翼（２）を回転軸芯（１）に固着した形状でありました【特許文献１】特許第３５３８８１６号
【特許文献２】特許第３５５９９９５号
【発明の開示】
【発明が解決しようとする課題】
【０００４】  「特許文献１」の項の図１において、風力発電装置として一体に組んだ物を、上下する事は、相当の重量となりもっと経済的な方法は無いかと考えました。  次に「特許文献２」の図１に於いて、回転翼（２）を回転軸芯（１）に接合した状態で、回転翼（２）が、ガイド翼（７）と相対して能率の向上を計りました、然し実験の結果において風圧が回転翼（２）の羽根の全面に作用して、回転半径が小さく成る傾向でありました、もう少し回転半径を増大する方法は無いかと考えました。
【課題を解決するための手段】
【０００５】  「特許文献１」の図１に於いて固定翼（７）は回転を行は無いので、支柱（４）は廃止して、固定翼（７）の下部の上下保持器（２）の処に支柱を設けて、その支柱に円筒（８）を当設し、回転翼（１３）は吊り下げを廃止して、下部より支えて回転翼のみ上下して、円筒内に出し入れ加納の方式を思い至った、此の様にする事により、同じ能力にして円筒も小さく出来、回転翼の動作も軽減され、全体的に使用材料も軽減されて、経済的でも有ると考慮しました。【０００６】  「特許文献２」の図１に於いて種々実験の結果、回転軸芯（１）を廃止して、回転翼の各々の羽根を円周状に接合して、内部には風力を通さず、受風した風力はガイド板（７）と合い対して風力をラウンドして回転力を伝達する方式を考えて、実験の結果、従来に無い回転と、トルクの増加の高結果を得ました、従来の垂直型の方式は、クロスフローと云って風力が内部を突き抜けて、通過して出側に於いて損失事項が有ったが、此の方式はラウンデングフロウとでも、云うべき方式で受風した風力の殆どを、回転力に利用出来る事を発見しました。
【発明の効果】
【０００７】  以上の如く先方技術を実験の過程に於いて、発見された高能率な性能と、経済的発展を示す方式の発見を見るに至ったので、新たな図面により之を詳述致します、之らの機能改善により、更に一般家庭やビル風の応用等に好適と思はれ、従来使用されている、あらゆる風力発電機の代換え能力を有する、機能を持った物とおもはれます。
【発明を実施するための最良の形態】
【０００８】      本願開発の図面に依り詳述致します、「図１」は総組立側面図を示し「図２」及び「図３」は、組立図の矢線の部分のガイド翼（１）と回転翼（３）の組まれた状態の、平面図と側面図で有ります、「図１」より説明致します、図の破線の部分は総てボルトによる接続部分で有ります、ガイド翼（１）と回転翼（３）は、各々ユニット化したものを４段積層して、組込んだ図であります、ガイド翼（１）は上部に上部支え（１２）を渡し、ガイド翼（１）の下部は、支柱（２）によりて支えられています、ガイド翼（１）及び回転翼（３）は「図３」に示す如く、各々２枚の第１中空円板（１５）及び第２中空円板（１６）を上下にして、カイド翼（１）は案内板（１３）を、回転翼（３）には羽根板（１４）を接合してユニット化した物であります、但し回転翼（３）は重ねた最上部及び最下部のみ円板を張り、上部には上部軸芯（１１）を、下部には下部軸芯（４）を取り付けています、之らを上部は上部支え（１２）で、下部は回転翼受（５）にて受けて回転翼（３）の回転位値を保持します、回転翼受（５）は両端を支柱（２）に保持されながら、上下に移動可能の機構と成っています、「図１」はそれらを４段積み重ねた状態を示します、回転翼の下部は下部軸芯（４）を介して回転翼受（５）にて支えられ、回転翼受（５）はウオーム及びウオームホイルが一体となったウオウムモーター（９）に装着された、ウオーム軸（８）にて支えられて、結論的には、回転翼（３）はウオウムモーター（９）に依って支えられた事になります、ウオームモーター（９）は本機を制御する制御盤と連動して、風力に応じ支柱（２）に設置した円筒（７）に回転翼（３）を出し入れする事により、出力の調整を行います、制御については一般的な物で省略致します、回転翼（３）の上部は回転翼（３）が上下動作に差し支え無い長い上部軸芯（１１）を、上部支え（１２）により支え、上部軸芯（１１）にはカバー（１３）を装着して、避雷器の台座に兼用する事としました、【０００９】次に「図２」及び「図３」に就いて詳述致します、「図２」はガイド翼（１）と回転翼（３）とを組合わせた平面図で、図３はその側面図です、何れも穴の開いた上下の円板の間に、ガイド翼（１）には案内板（１３）を、回転翼（３）には羽根板（１４）を接合し、特に羽根板（１４）は其の両端を互いに突き合わせて、内部には風力は通過させない様にした事を特徴とした方式であります、この様にした事により例えば「図２」に於いて、矢印方向より受風した場合、矢印方面のガイド板（１３）により風力は回転方向に方向付けされ、回転翼（３）を左回転しながら下方に回り抜けてゆく、一方ガイド翼（１）の右方向の風力は、回転の逆風であるが、案内板（１３）により防御されて逆作用を防いでいる、これらの動作は風力がどのような方向より受けても、満足する動作であると同時に、主として風力は羽根板（１４）の先端に作用するので、回転半径も最良の状態となりました。（今回コンピュウターのシュミレイションによると回転した風力は斜め右下方まで回りこんで、防がれた逆風に誘われて一緒に抜けてゆく状況でありました）
【実施例】
【００１０】１）回転翼（３）の周囲を固定したガイド翼（１）で囲っているので、安全で家庭的である、２）ビル風の応用や防風林の代用等適切とおもはれる、３）並べて据付加納であるから多数を集めて、出力の安定化と増大化が出来る、４）構造の大小に制限が無いから、相当の大電流の物も可能である、５）主要な処がユニット化してあるので、相当な範囲の容量が、組み替えで可能であり、経済的であると同時に修理も簡単で、保守も楽である、６）その他交通不便な地や、都市の定期バスの電源や、屋内菜園等の電源等考えられる、
【産業上の利用可能性】
【００１１】  環境汚染、地球温暖化、加えて不況の現在、最も必要な開発と思います、
【図面の簡単な説明】
【００１２】
【図１】本発明の総組図の側面図
【図２】ガイド翼と回転翼の組んだ平面図
【図３】ガイド翼と回転翼の組んだ断面の側面図
【符号の説明】
【００１３】（１）ガイド翼（２）支柱（３）回転翼（４）下部軸芯（５）回転翼受（６）発電機（７）円筒（８）ウオーム軸（９）ウオーム付モーター（１０）カバー（１１）上部軸芯（１２）上部支え（１３）案内板（１４）羽根板（１５）第１中空円板（１６）第２中空円板
【要約】
【課題】    先に開発した先方技術である「特許第３５８８８１６号」及び「特許第３５５９９９５号」の試作実験を重ねる過程に於いて、更に高能率且つ経済的な方式を発見したので、改めて出願した。
【解決手段】    回転翼の周囲に固定したガイド翼を配した、垂直型多段式風力発電装置の、回転翼を下部より支えて、回転しながら上下に移動可能とし、且つ受風した風力は、回転翼の内部を通過させず、受風の殆どを回転方向に応用して、効率の高い、風力発電装置とした。
【選択図】    図１【図１】
0003718839.tif 000002
【図２】
0003718839.tif 000003
【図３】
0003718839.tif 000004